(57)【特許請求の範囲】
【請求項１】
管理サーバーと利用者の所有するホームサーバーならびに携帯端末とを接続し、前記ホームサーバーに蓄積されたコンテンツを前記携帯端末に配信するコンテンツ配信システムにおいて、
前記管理サーバーは、
前記利用者を特定する情報と、前記ホームサーバーを特定する情報と、前記携帯端末を特定する情報とを受け付けて前記利用者の登録を行う利用者登録手段と、
この利用者登録手段で登録された前記利用者に対して、登録されていることを確認するための認証データを生成する認証データ生成手段と、
この認証データ生成手段で生成された前記認証データを前記ホームサーバー及び前記携帯端末に送信する送信手段とを有し、
前記携帯端末は、
前記管理サーバーから受信した認証データを前記ホームサーバーに送信する手段と、
前記ホームサーバーに蓄積されたコンテンツのコンテンツリストを要求するコンテンツリスト要求手段と、
前記コンテンツリストから対象コンテンツの指定と当該コンテンツに関わる特定条件を送信するコンテンツ要求手段と、
前記ホームサーバーから配信されたコンテンツを再生する手段とを有し、
前記ホームサーバーは、
コンテンツとこれらコンテンツのコンテンツリストを蓄積する蓄積手段と、
前記コンテンツの画像データに対し、当該画像データを評価し、画像データにばらつきが生じた直後の画像データを抽出し、当該画像データの時刻に基づいて画像タイムインデックスを付加する画像タイムインデックス手段と、
前記コンテンツの音声データに対し、当該音声データの一定レベル以下の部分をカットし、当該音声データの時刻に基づいて音声タイムインデックスを付加する音声タイムインデックス手段と、
前記画像タイムインデックスと音声タイムインデックスとの対応で視聴最小単位としてユニットを構成する手段と、
前記管理サーバーから送信された認証データならびに前記端末から送信された前記端末の認証データを元に前記端末を認証する利用者認証手段と、
前記認証された携帯端末に、前記コンテンツリストを送信する手段と、
前記認証された携帯端末から指定された対象コンテンツを、前記特定条件に基づき前記ユニット単位で加工して、前記携帯端末に配信するコンテンツ配信手段とを有することを特徴とするコンテンツ配信システム。
【請求項２】
前記特定条件は、前記利用者が指定した再生時間を含み、
前記コンテンツ配信手段は、この再生時間に基づき前記ユニット単位で加工したコンテンツを配信することを特徴とする請求項１に記載のコンテンツ配信システム。
【請求項３】
前記特定条件は、フル再生かダイジェスト版再生かの再生種別と、前記ダイジェスト版再生が指定された場合、前記コンテンツの再生時間を短縮する割合を含み、
前記コンテンツ配信手段は、この再生方法と前記再生時間とに基づき、前記ユニット単位で加工したコンテンツを配信することを特徴とする請求項１に記載のコンテンツ配信システム。
【発明の詳細な説明】
【０００１】
【発明の属する技術分野】
本発明は、ホームサーバーに蓄積されたコンテンツを携帯端末に配信するコンテンツ配信システムに関する。
【０００２】
【従来の技術】
従来では、視聴したい番組が放送されるときに都合が悪い場合には、ビデオやデジタルテレビのハードディスクなどに番組を録画しておき、空いた時間ができたときに録画した番組を再生して視聴していた。
【０００３】
【発明が解決しようとする課題】
しかしながら、録画した番組は自宅などの再生装置のあるところでないと視聴することができないので、忙しいときには録画した番組を結局視聴することなく終わってしまうという問題点があった。
【０００４】
本発明は上記事情に鑑みてなされたものであり、その目的は、利用者が自宅のホームサーバーに蓄積したコンテンツを外出先の携帯端末に配信することによって、利用者がいつでもどこからでも自宅に蓄積されているコンテンツを視聴することのできるコンテンツ配信システムを提供することにある。
【０００５】
【課題を解決するための手段】
上記目的を達成するために、請求項１に記載の発明は、管理サーバーと利用者の所有するホームサーバーならびに携帯端末とを接続し、ホームサーバーに蓄積されたコンテンツを前記携帯端末に配信するコンテンツ配信システムに関する。
ここで、管理サーバーは、利用者を特定する情報と、ホームサーバーを特定する情報と、携帯端末を特定する情報とを受け付けて利用者の登録を行う利用者登録手段と、この利用者登録手段で登録された利用者に対して、登録されていることを確認するための認証データを生成する認証データ生成手段と、この認証データ生成手段で生成された認証データをホームサーバー及び携帯端末に送信する送信手段とを有する。
携帯端末は、管理サーバーから受信した認証データをホームサーバーに送信する手段と、ホームサーバーに蓄積されたコンテンツのコンテンツリストを要求するコンテンツリスト要求手段と、コンテンツリストから対象コンテンツの指定と当該コンテンツに関わる特定条件を送信するコンテンツ要求手段と、ホームサーバーから配信されたコンテンツを再生する手段とを有する。
ホームサーバーは、コンテンツとこれらコンテンツのコンテンツリストを蓄積する蓄積手段と、コンテンツの画像データに対し、当該画像データを評価し、画像データにばらつきが生じた直後の画像データを抽出し、当該画像データの時刻に基づいて画像タイムインデックスを付加する画像タイムインデックス手段と、コンテンツの音声データに対し、当該音声データの一定レベル以下の部分をカットし、当該音声データの時刻に基づいて音声タイムインデックスを付加する音声タイムインデックス手段と、画像タイムインデックスと音声タイムインデックスとの対応で視聴最小単位としてユニットを構成する手段と、管理サーバーから送信された認証データならびに端末から送信された端末の認証データを元に端末を認証する利用者認証手段と、認証された携帯端末に、コンテンツリストを送信する手段と、認証された携帯端末から指定された対象コンテンツを、特定条件に基づきユニット単位で加工して、携帯端末に配信するコンテンツ配信手段とを有する。
【０００６】
この請求項１の発明によれば、利用者はいつでもどこからでも自宅のホームサーバーに蓄積したコンテンツを携帯端末で視聴することができる。また、視聴可能な最小単位であるユニットを生成してコンテンツを任意の再生時間で再生することができるので、利用者は希望する再生時間でコンテンツを視聴することができる。また、ホームサーバーに蓄積されているコンテンツのコンテンツリストが携帯端末に提供されるので、利用者は携帯端末でホームサーバーに蓄積されているコンテンツを確認することができる。また、管理サーバーが利用者の登録を行って本システムのサービスを受けるために必要な情報をホームサーバーと携帯端末に送信するので、利用者はコンテンツ配信システムによるサービスを受けることができ、これによって自宅のホームサーバーに蓄積したコンテンツをいつでもどこからでも携帯端末で視聴することができる。
【０００７】
ここで、特定条件は、利用者が指定した再生時間を含み、コンテンツ配信手段は、この再生時間に基づき前記ユニット単位で加工したコンテンツを配信する。
これにより、利用者がコンテンツの再生時間を指定できるので、利用者は希望する再生時間でコンテンツを視聴することができる。
【０００８】
ここで、特定条件は、フル再生かダイジェスト版再生かの再生種別と、ダイジェスト版再生が指定された場合、コンテンツの再生時間を短縮する割合を含み、コンテンツ配信手段は、この再生方法と再生時間とに基づき、ユニット単位で加工したコンテンツを配信する。
これにより、利用者がコンテンツの再生種別指定とダイジェスト版再生の指定の場合の再生時間短縮の割合を指定できるので、利用者は希望する種別と短縮の割合でコンテンツを視聴することができる。
【００２５】
【発明の実施の形態】
以下、本発明に係るコンテンツ配信システムの一実施形態を図面に基づいて説明する。
【００２６】
１．システム構成
図１に示すように、本実施形態のコンテンツ配信システム１は、このシステムにおける利用者の登録や利用料金の課金などの処理を行う管理サーバー２と、このシステムに登録した利用者に関する情報を格納する利用者情報データベース３と、このシステムで提供されるサービスに必要な情報を格納するサービス情報データベース４と、コンテンツの制作や供給を行うコンテンツホルダ５と、番組をＣＳ放送やＢＳデジタル放送などで放送する放送局６と、放送されたコンテンツを受信して蓄積部７に蓄積してデジタルＴＶ８に表示するホームサーバー９と、ホームサーバー９からコンテンツの配信を受けて利用者にコンテンツを提供する携帯端末１０とから構成されている。
【００２７】
ここで、管理サーバー２、コンテンツホルダー５、ホームサーバー９及び携帯端末１０との間は通信網１１によって接続され、インターネットやダイヤルアップ、専用線、無線接続、ＡＤＳＬ、ＦＴＴＨなどの通信回線によって構成される通信網である。
【００２８】
さらに、管理サーバー２は、利用者の個人情報やホームサーバーを特定するための情報、携帯端末を特定するための情報などを受け付けて利用者の登録を行う利用者登録手段２１と、この利用者登録手段２１で登録された利用者に対して、登録されていることを確認するための認証データを生成する認証データ生成手段２２と、認証データやこのシステムによるサービスを受けるための情報が記録されたプログラムファイルなどをホームサーバ９及び携帯端末１０に送信するプログラム送信手段２３とを含んでいる。
【００２９】
なお、管理サーバー２は、本システムの管理を行うデータセンターに設置されたサーバーであって、いわゆるインターネットのプロバイダが管理しており、インターネットを介して図示していないホストコンピュータに接続されている。そして、利用者のホームサーバー９から通信網１１を介してアクセスがあると、登録画面などを提供するとともに、課金などの処理を行う。
【００３０】
また、ホームサーバー９は、放送されたコンテンツを受信して蓄積部７に蓄積するコンテンツ蓄積手段９１と、蓄積部７に蓄積されたコンテンツの配信希望があると、この配信希望を送信した携帯端末１０から認証データを受信し、登録された携帯端末であることを確認してコンテンツの配信を許可する利用者認証手段９２と、コンテンツの配信が許可されると、蓄積部７に蓄積されているコンテンツの中から、利用者によって指定された対象コンテンツを携帯端末１０に配信するコンテンツ配信手段９３と、蓄積部７に格納されているコンテンツのコンテンツリストを生成して携帯端末１０に提供するコンテンツリスト提供手段９４とを含んでいる。
【００３１】
なお、ホームサーバー９は、図１ではデジタルテレビ８とは別に記載されているが、デジタルテレビ８に搭載されたものでもよく、またＤＶＤレコーダーやビデオデッキなどのその他の装置に搭載されたものでもよい。さらに、セットトップ・ボックスなどの装置でもよい。
【００３２】
また、携帯端末１０は携帯電話やＰＤＡなどの装置であって、利用者がコンテンツの配信を希望するときに、認証データをホームサーバー９に送信する認証データ送信手段１０１と、ホームサーバー９でコンテンツの配信が許可されたときに、利用者に対して配信を希望する対象コンテンツを指定するように促し、指定された対象コンテンツの配信をホームサーバー９に要求するコンテンツ要求手段１０２と、対象コンテンツをホームサーバー９から受信して再生するコンテンツ再生手段１０３とを含んでいる。
【００３３】
さらに、利用者情報データベース３には、各利用者の個人情報として、利用者のホームサーバーの機器ＩＤ、ホームサーバーに接続される電話番号、利用者の携帯電話番号、決済方法、コンテンツの視聴状況などの情報が格納されており、サービス情報データベース４にはサービスを利用するためのアプリケーションが記録されたサービス利用プログラムファイルやＥＰＧ（電子番組表）などの情報が格納されている。
【００３４】
また、蓄積部７には、受信したコンテンツのＭＰＥＧ２データやＭＰＥＧ４データ、メタデータ、コンテンツリスト、認証データ、ＥＰＧ、ユニットなどの情報が格納されている。
【００３５】
２．動作説明
次に、本実施形態に係るコンテンツ配信システム１によって行われる各処理を図面に基づいて説明する。
【００３６】
２−１．登録処理
まず、図２のフローチャートに基づいて本実施形態に係るコンテンツ配信システム１による利用者の登録処理について説明する。
【００３７】
本実施形態のコンテンツ配信システム１によるサービスを利用しようとする利用者は、自宅のホームサーバー９から管理サーバー２に対してアクセスする（Ｓ２０１）。
【００３８】
そして、管理サーバー２は図３に示すようなサービスＴＯＰ画面を利用者に提示し（Ｓ２０２）、利用者はこのサービスＴＯＰ画面において「新規申し込み」を選択して図４に示すようなサービス利用申込画面を開く（Ｓ２０３）。
【００３９】
そして、利用者はこのサービス利用申し込み画面上で自宅のホームサーバーに接続されている電話の電話番号、登録する携帯電話の電話番号及び決済方法を入力する（Ｓ２０４）。
【００４０】
このとき、携帯電話は複数登録することができる。また、決済方法としては、登録済み口座による銀行引き落としや新規口座を開設しての銀行引き落とし、銀行振込、クレジットカード払いなどの決済方法の中から選択することができる。
【００４１】
こうして登録内容が入力されると、図５に示すような登録内容確認画面が表示され（Ｓ２０５）、利用者が登録内容を確認して間違いがなければ送信ボタンを選択して登録内容が管理サーバー２に送信される（Ｓ２０６）。また、このときＢ−ＣＡＳカードやＣ−ＣＡＳカードなどに記録されている機体ＩＤも同時に管理サーバー２に送信される。
【００４２】
そして、利用者の登録内容を管理サーバー２が受信すると、管理サーバー２はまず受信した利用者の個人情報を利用者情報データベース３に格納して登録し（Ｓ２０７）、そして認証データの発行を行う（Ｓ２０８）。
【００４３】
この認証データは、利用者個人を確認するための暗号化されたデータである。
【００４４】
次に、管理サーバー２は本サービスを利用するために必要なアプリケーションなどの情報が記録されたサービス利用プログラムファイルをサービス情報データベース４から読み出し（Ｓ２０９）、このサービス利用プログラムファイルと認証データを登録された利用者のホームサーバー９と携帯端末１０とに送信する（Ｓ２１０）。
【００４５】
そして、ホームサーバー９は受信した認証データを蓄積部７に格納し（Ｓ２１１）、サービス利用プログラムファイルを自動インストールする（Ｓ２１２）。
【００４６】
同様に、携帯端末１０でも受信した認証データを格納し（Ｓ２１３）、サービス利用プログラムファイルを自動インストールして（Ｓ２１４）本実施形態のコンテンツ配信システムにおける利用者の登録処理は終了する。
【００４７】
２−２．サービス対象コンテンツのリスト化処理
次に、図６のフローチャートに基づいてホームサーバー９に蓄積されたコンテンツのリスト化処理について説明する。
【００４８】
まず、放送局６によってコンテンツが放送されると（Ｓ６０１）、ホームサーバー９はコンテンツを受信して蓄積部７に格納する（Ｓ６０２）。
【００４９】
そして、ホームサーバー９は蓄積されたコンテンツに対応する電子番組表があるか否かをチェックし（Ｓ６０３）、電子番組表がない場合には管理サーバー２に対して電子番組表をリクエストする（Ｓ６０４）。このリクエストを受けて、管理サーバー２はホームサーバー９に電子番組表を送信する（Ｓ６０５）。
【００５０】
そして、ステップＳ６０３において電子番組表があるとき、または電子番組表が管理サーバー２から送信されてきたときには番組コードと電子番組表とのマッチングを行い（Ｓ６０６）、蓄積されているコンテンツの記載されたコンテンツリストを作成する（Ｓ６０７）。
【００５１】
そして、このコンテンツリストを蓄積部７に格納して（Ｓ６０８）サービス対象コンテンツのリスト化処理は終了する。
【００５２】
２−３．サービス対象コンテンツのインデクシング処理
次に、図７のフローチャートに基づいてホームサーバー９に蓄積されたコンテンツのインデクシング処理について説明する。
【００５３】
まず、放送局６によってコンテンツが放送されると（Ｓ７０１）、ホームサーバー９はコンテンツを受信して蓄積部７に格納する（Ｓ７０２）。
【００５４】
そして、ホームサーバー９は格納されたコンテンツを読み出して、まずＭＰＥＧ２のデコードを行い（Ｓ７０３）、次にＭＰＥＧ４のエンコード処理と、音声インデクシング処理と、画像インデクシング処理とをそれぞれ並行して行う。
【００５５】
まず、ＭＰＥＧ４のエンコード処理について説明すると、デコードしたＭＰＥＧ２データに対してスケーリング処理を行い（Ｓ７０４）、次にＭＰＥＧ４をエンコードしてＭＰＥＧ４のデータファイルを生成する（Ｓ７０５）。生成されたＭＰＥＧ４データファイルは蓄積部７に格納される（Ｓ７０６）。
【００５６】
次に、音声インデクシング処理と画像インデクシング処理とを説明する。ここでは、一例としてプロ野球中継のコンテンツにおいて、ジャイアンツの松井選手がサヨナラホームランを打つシーンを例にして説明する。
【００５７】
図８に示すように、時刻ｔ＝０のときに松井選手がスイングをし、その後に打球がスタンドに飛び込んで喜ぶベンチが映し出され、松井選手がベースを一周してｔ＝１０に終了するというシーンの場合には、まずデコードされたＭＰＥＧ２データに対して、一定の時間間隔で区切って画像インデックスと音声インデックスとを付加する（Ｓ７０７、７０８）。図８では、１０秒間のシーンを１秒間隔で区切り、画像インデックスＭ１からＭ１０が付加され、音声インデックスＶ１からＶ１０が付加されている。
【００５８】
そして、画像データに対しては動きベクトル画像のばらつき評価を行い（Ｓ７０９）、ばらつきが出た直後の画像データを抽出する（Ｓ７１０）。この動きベクトル画像ではシーンが切り替わったときにばらつきが出るので、例えば、図８では松井選手がスイングをしたシーンから打球がスタンドに飛び込むシーンに切り替わったときに動きベクトル画像にばらつきが出る。
【００５９】
従って、ばらつきが出た直後の画像データを抽出すると、画像が切り替わった後の最初のシーンを抽出することができる。これによって、図８では、Ｍ１、Ｍ４、Ｍ６、Ｍ９の画像データが抽出され、松井選手がスイングしたシーンと打球がスタンドに飛び込むシーン、喜ぶベンチを映したシーン、松井選手がベースを回るシーンのそれぞれが抽出される。
【００６０】
こうして画像データが抽出されると、この抽出された画像データに画像タイムインデックスが付加される（Ｓ７１１）。この画像タイムインデックスは抽出された画像データの時刻に基づいて付加される。
【００６１】
例えば、図８では、Ｍ１、Ｍ４、Ｍ６、Ｍ９の画像データが抽出されるので、画像データＭ１の開始時刻はｔ＝０のときなので、ＭＴ０の画像タイムインデックスが画像データＭ１の開始時に付加される。同様にＭＴ３の画像タイムインデックスが画像データＭ４の開始時に、ＭＴ５の画像タイムインデックスが画像データＭ６の開始時に、ＭＴ８の画像タイムインデックスが画像データＭ９の開始時にそれぞれ付加される。
【００６２】
一方、音声データについては、音声インデックスＶ１〜Ｖ１０が付加されると（Ｓ７０８）、音声データの出力レベルが一定レベル以下の部分については音声をカットし、残った音声データが抽出される（Ｓ７１２）。
【００６３】
例えば、図８では松井選手がスイングをしてアナウンサーが「松井これは大きい」と言った後のＶ３、Ｖ４の音声データについては出力レベルが一定レベル以下なのでカットし、同様に一定レベル以下の音声データをカットした結果、Ｖ１、Ｖ２、Ｖ５、Ｖ７、Ｖ８の音声データが抽出される。
【００６４】
そして、この抽出された音声データに対して音声タイムインデックスを付加する（Ｓ７１３）。この音声タイムインデックスは抽出された音声データの時刻に基づいて付加される。
【００６５】
例えば、図８では音声データＶ２の開始時刻はｔ＝１のときなのでＶＴ１の音声タイムインデックスが音声データＶ２の開始時に付加され、同様に音声データＶ５の開始時刻はｔ＝４のときなのでＶＴ４の音声タイムインデックスが音声データＶ５の開始時に付加される。そして、ＶＴ２とＶＴ３の音声タイムインデックスについては、図８に示すようにＶＴ１とＶＴ４との間に等間隔に付加する。
【００６６】
こうして音声タイムインデックスと画像タイムインデックスとが付加されると、このタイムインデックスに基づいてユニットが作成される（Ｓ７１４）。このユニットは視聴することのできる最小単位であり、音声タイムインデックスと画像タイムインデックスとを対応させて生成される。
【００６７】
例えば、図９に示すように画像データＭ４の開始時の画像タイムインデックスはＭＴ３なので、音声タイムインデックスがＶＴ３になったときに画像データＭ４の表示が開始されるようにユニットが作成され、同様に画像データＭ６は音声タイムインデックスがＶＴ５になったときに表示が開始され、画像データＭ９は音声タイムインデックスがＶＴ８になったときに表示が開始されるようにユニットが作成される。
【００６８】
こうして、コンテンツのすべてのシーンについてユニットが作成されると、メタデータとして蓄積部７に格納されて（Ｓ７０６）サービス対象コンテンツのインデクシング処理は終了する。
【００６９】
２−４．コンテンツの配信（ダウンロード）処理
次に、図１０のフローチャートに基づいて携帯端末１０へのコンテンツの配信処理について説明する。
【００７０】
図１０に示すように、携帯端末１０へのコンテンツの配信を希望する利用者は、携帯端末１０に図１１に示すようなサービスＴＯＰ画面を表示する（Ｓ１００１）。
【００７１】
そして、利用者はこのサービスＴＯＰ画面からコンテンツリストの参照や未再生リストの参照などのサービスを選択し（Ｓ１００２）、ホームサーバー９に接続して予め携帯端末１０に登録されている認証データなどのデータをホームサーバー９に送信する（Ｓ１００３）。
【００７２】
そして、ホームサーバー９では受信した認証データとホームサーバー９に登録されている認証データとを比較してマッチングを行い（Ｓ１００４）、一致しなかったときには利用不可の通知を携帯端末１０に送信する（Ｓ１００５）。
【００７３】
また、認証データが一致したときには、ホームサーバー９はコンテンツリストを携帯端末１０に送信し（Ｓ１００６）、受信した携帯端末１０では利用者が図１２に示すようなコンテンツリストの確認画面から再生を希望するコンテンツを選択する（Ｓ１００７）。
【００７４】
そして、利用者がコンテンツを選択したら、次に再生方法の選択を行う（Ｓ１００８）。この再生方法の選択では、まず図１３に示すような再生方法の選択画面上からフル再生、ダイジェスト版再生、再生時間指定、時間帯指定の中から再生方法を選択する。
【００７５】
ここで、フル再生とはコンテンツのすべてを再生するもので、ダイジェスト版再生とは２分の１や３分の１に短縮されたコンテンツを再生するものである。また、再生時間指定とは利用者が指定した再生時間に短縮してコンテンツを再生するもので、時間帯指定とはコンテンツの中の最初の１０分や最後の１０分などの指定された時間帯を再生するものである。
【００７６】
そして、利用者が再生方法として、ダイジェスト版再生を選択したときには、次に図１４に示すような選択画面上でダイジェスト版の再生時間を１／２、１／３、１／４の中から選択する。
【００７７】
また、利用者が再生時間指定を選択したときには、図１５に示すような入力画面上から利用者が希望する再生時間を入力する。
【００７８】
さらに、利用者が時間帯指定を選択したときには、図１６に示すよう選択画面上で▲１▼始まり〜１０分、▲２▼１０分〜２０分、・・・、▲６▼８０分〜終了のように１０分間隔で希望する時間帯を指定することができる。
【００７９】
こうして希望するコンテンツと再生方法とが利用者によって選択されると、これらのデータがホームサーバー９に送信され（Ｓ１００９）、受信したホームサーバー９はまず再生対象となる対象コンテンツを蓄積部７から抽出する（Ｓ１０１０）。
【００８０】
そして、ホームサーバー９は再生方法がフル再生であるか否かを判断し（Ｓ１０１１）、フル再生のときには抽出した対象コンテンツを携帯端末１０に送信する（Ｓ１０１２）。
【００８１】
ここで、フル再生の場合の再生例を説明すると、図１７に示すように画像データは各映像が切り替わる毎に静止画が表示され、音声はストリーム配信によって再生される。
【００８２】
また、フル再生でないときには、ホームサーバー９は選択された再生方法に合わせてダイジェストファイルを作成する（Ｓ１０１３）。
【００８３】
まず、再生方法がダイジェスト版再生のときには、対象コンテンツの再生総時間を抽出し、この総時間から再生時間を算出する。例えば、対象コンテンツの再生総時間が９０分で１／２のダイジェスト版再生が選択されているときには再生時間として４５分と算出する。
【００８４】
そして、ホームサーバー９は算出された再生時間分のユニットを抽出してダイジェストファイルを作成する。
【００８５】
例えば、図１８に示すように、図１８（ａ）の１／２のダイジェスト版の場合に比べて、図１８（ｂ）の１／３のダイジェスト版の場合では、再生時間に合わせて少ないユニットが抽出されている。
【００８６】
同様に、再生方法が再生時間指定の場合にも、ホームサーバー９は指定された再生時間分のユニットを抽出してダイジェストファイルを作成する。
【００８７】
また、再生方法が再生時間帯指定のときには、ホームサーバー９は指定された時間帯をフル再生するので、指定された時間帯の対象コンテンツを抽出してダイジェストファイルとして作成する。
【００８８】
こうしてダイジェストファイルが作成されると、ホームサーバー９はダイジェストファイルを携帯端末１０に送信する（Ｓ１０１４）。
【００８９】
そして、ダイジェストファイルあるいはフル再生用のデータを受信した携帯端末１０では、受信した情報に基づいて対象コンテンツを再生し（Ｓ１０１５）、再生が終了したらホームサーバー９に再生終了を送信する（Ｓ１０１６）。
【００９０】
ただし、ここでは携帯端末１０で対象コンテンツを視聴する場合について説明したが、自宅のデジタルテレビ８でも携帯端末１０で視聴する場合と同様に再生方法を選択して任意の再生方法で対象コンテンツを視聴することができる。
【００９１】
一方、ホームサーバー９では送信したコンテンツや利用者に関する情報に基づいて再生情報を生成し、この再生情報は管理サーバー２に送信される（Ｓ１０１７）。
【００９２】
そして、管理サーバー２ではこの再生情報と利用者の個人情報とをマッチングして集計し（Ｓ１０１８）、利用者が視聴したコンテンツなどをまとめた視聴レポートを作成してコンテンツホルダ５に送信する（Ｓ１０１９）。この視聴レポートによってコンテンツホルダ５は利用者の趣味嗜好の分析などを行うことができる。
【００９３】
また、管理サーバー２は集計された再生情報に基づいて、各利用者毎に利用料金を算出して請求し（Ｓ１０２０）、本実施形態のコンテンツ配信システム１におけるコンテンツの配信処理は終了する。
【００９４】
このように、本実施形態のコンテンツ配信システム１は、ホームサーバー９が利用者の認証を行い、蓄積されているコンテンツを携帯端末１０に配信するので、利用者はいつでもどこからでも自宅のホームサーバー９に蓄積したコンテンツを外出先の携帯端末１０で視聴することが可能になる。
【００９５】
また、視聴可能な最小単位であるユニットを生成し、コンテンツを任意の再生時間で再生することができるので、利用者は希望する再生時間でコンテンツを視聴することができる。
【００９６】
さらに、ホームサーバー９に蓄積されているコンテンツのコンテンツリストを生成して携帯端末１０に提供するので、利用者は携帯端末１０でホームサーバー９に蓄積されているコンテンツを確認することができる。
【００９７】
【発明の効果】
以上説明したように、本発明のコンテンツ配信システムによれば、利用者はいつでもどこからでも自宅のホームサーバーに蓄積したコンテンツを外出先の携帯端末で視聴することが可能になる。
【図面の簡単な説明】
【図１】本発明によるコンテンツ配信システムの一実施形態の構成を示すブロック図である。
【図２】図１に示すコンテンツ配信システムにおける利用者の登録処理を説明するためのフローチャートである。
【図３】図２に示す利用者の登録処理におけるサービスＴＯＰ画面の一例を示す図である。
【図４】図２に示す利用者の登録処理における申込画面の一例を示す図である。
【図５】図２に示す利用者の登録処理における登録内容確認画面の一例を示す図である。
【図６】図１に示すコンテンツ配信システムにおけるコンテンツのリスト化処理を説明するためのフローチャートである。
【図７】図１に示すコンテンツ配信システムにおけるコンテンツのインデクシング処理を説明するためのフローチャートである。
【図８】図７に示すインデクシング処理におけるインデックスの付加を説明するための図である。
【図９】図７に示すインデクシング処理におけるユニットの生成を説明するための図である。
【図１０】図１に示すコンテンツ配信システムにおけるコンテンツの配信処理を説明するためのフローチャートである。
【図１１】図１０に示す配信処理におけるサービス選択画面の一例を示す図である。
【図１２】図１０に示す配信処理におけるコンテンツ選択画面の一例を示す図である。
【図１３】図１０に示す配信処理における再生方法の選択画面の一例を示す図である。
【図１４】図１０に示す配信処理におけるダイジェスト版の選択画面の一例を示す図である。
【図１５】図１０に示す配信処理における再生時間の指定画面の一例を示す図である。
【図１６】図１０に示す配信処理における再生時間帯の指定画面の一例を示す図である。
【図１７】フル再生の場合のコンテンツの再生方法を説明するための図である。
【図１８】ダイジェスト版再生の場合のコンテンツの再生方法を説明するための図である。
【符号の説明】
１  コンテンツ配信システム
２  管理サーバー
３  利用者情報データベース
４  サービス情報データベース
５  コンテンツホルダ
６  放送局
７  蓄積部
８  デジタルＴＶ
９  ホームサーバー
１０  携帯端末
１１  通信網
２１  利用者登録手段
２２  認証データ生成手段
２３  プログラム送信手段
９１  コンテンツ蓄積手段
９２  利用者認証手段
９３  コンテンツ配信手段
９４  コンテンツリスト提供手段
１０１  認証データ送信手段
１０２  コンテンツ要求手段
１０３  コンテンツ再生手段
【図１】
0004643068.tif 000002
【図２】
0004643068.tif 000003
【図３】
0004643068.tif 000004
【図４】
0004643068.tif 000005
【図５】
0004643068.tif 000006
【図６】
0004643068.tif 000007
【図７】
0004643068.tif 000008
【図８】
0004643068.tif 000009
【図９】
0004643068.tif 000010
【図１０】
0004643068.tif 000011
【図１１】
0004643068.tif 000012
【図１２】
0004643068.tif 000013
【図１３】
0004643068.tif 000014
【図１４】
0004643068.tif 000015
【図１５】
0004643068.tif 000016
【図１６】
0004643068.tif 000017
【図１７】
0004643068.tif 000018
【図１８】
0004643068.tif 000019